(57)【特許請求の範囲】
【請求項１】
長尺で広幅の木製支持体の間に、長尺の軟質発泡樹脂成形体製の基体を配置した軟質床暖房用マットにおいて、この基体は、広幅の木製支持体の厚さとほぼ同じ厚さとされ、その一方の面には基体の長さ方向に沿ってほぼ平行に加熱流体用導通管の溝が刻設され、この溝に加熱流体用導通管が埋設されてなり、かつ、基体の厚さとほぼ同じ厚さとされた小幅の木製支持体が少なくとも一個、基体の長さ方向に沿って配置されてなり、上記広幅の木製支持体、上記基体および小幅の木製支持体の各上面側端部を隙間を設けずに接触させ、各上面部を金属薄板によって一体に被着されて広幅にされてなることを特徴とする、軟質床暖房用マット。
【請求項２】
基体の一方の面に設けられた溝は、その壁面全面に亘って金属薄板が貼着されてなる、請求項１に記載の軟質床暖房用マット。
【請求項３】
基体は、その長さ方向に直角に切断した際の断面形状を逆台形型とされてなる、請求項１または請求項２に記載の軟質床暖房用マット。
【発明の詳細な説明】
【０００１】
【発明の属する技術分野】
本発明は、軟質床暖房用マットに関する。さらに詳しくは、長尺・広幅の床暖房用マットであって、ロール状に巻回して梱包、保管、輸送することができる軟質床暖房用マットに関する。
【０００２】
【従来の技術】
従来、寒冷地の住宅の居室の居住性、温暖地での寒冷期の住宅の居室の居住性などを向上させる目的で、住宅の居室を床面から暖房する床暖房技術が提案され、実用化されている。例えば、マンションなどのスラブの床の上、スラブの床に敷いた下地合板の上、または、一戸建て住宅の居室の床に敷いた下地合板の上などに床暖房用マットを敷設し、この床暖房用マットの上に表層材または床材を配置した構造の暖房床が実用化されている。
【０００３】
実用化されている床暖房用床材は、例えば木質のパネルに溝を刻設し、この溝に加熱流体用導通管を埋設した硬質パネルは、強度は十分であるが、一単位体が広い面積のものはできない、一単位体が重い、一単位体を狭い面積としたときは他の単位体の導通管と接続しなければならない、折り曲げができない、ロール状に巻回できない、などの欠点があるために梱包、保管、輸送、施工などに極めて不便であった。
【０００４】
軟質床暖房用マットは、長尺・広幅のものとされ、製造してから施工までの間はロール状に巻回された荷姿で梱包、保管、輸送が可能である。しかし、基体が軟質材料である場合に、ロール状に巻回された時には軟質床暖房用マットの下方に位置された部分に全体の重量が負荷され、この重量が負荷された部分が偏平に変形してしまい、変形した床暖房用マットを施工した場合には、厚さの均質な床面が得られない、均一な放熱ができないというような欠点があった。
【０００５】
また、軟質床暖房用マットの上に床材を配置し、釘で打付ける場合にマットには釘を固定する部分がないばかりでなく、床材を下地合板に釘で打付けるとしても、誤って加熱流体用導通管に打付けることがあり、加熱流体の漏洩の原因となることがあった。加熱流体が漏洩した場合で極端な場合には、即座にその兆候が表れることはまれで相当の時間が経過した後に、床に腐食による不都合が表れたり、下層の壁面・天井面にシミが発現したりしてはじめて、その原因は加熱流体の漏洩が原因であると分る場合があるが、このような現象が発現した時点で対処するには、大掛かりな改装が必要となる。
【０００６】
【発明が解決しようとした課題】
本発明者らは、かかる状況にあって、上記従来法における欠点を排除した床暖房用パネルを提供すべく、鋭意検討した結果、本発明を完成するに至った。
本発明は、次のことを目的とする。
１．ロール状に巻回することが可能な軟質床暖房用マットを提供すること。
２．ロール状に巻回してもマットの下方に位置した部分が押し潰され難い軟質床暖房用マットを提供すること。
３．軟質床暖房用マットを配置し、その上に床材を敷設し釘で床材を固定することができる軟質床暖房用マットを提供すること。
【０００７】
【課題を解決するための手段】
上記課題を解決するために、本発明では、長尺で広幅の木製支持体の間に、長尺の軟質発泡樹脂成形体製の基体を配置した軟質床暖房用マットにおいて、この基体は、広幅の木製支持体の厚さとほぼ同じ厚さとされ、その一方の面には基体の長さ方向に沿ってほぼ平行に加熱流体用導通管の溝が刻設され、この溝に加熱流体用導通管が埋設されてなり、かつ、基体の厚さとほぼ同じ厚さとされた小幅の木製支持体が少なくとも一個、基体の長さ方向に沿って配置されてなり、上記広幅の木製支持体、上記基体および小幅の木製支持体の各上面側端部を隙間を設けずに接触させ、各上面部を金属薄板によって一体に被着されて広幅にされてなることを特徴とする、軟質床暖房用マットを提供する。
【０００８】
【発明の実施の形態】
以下、本発明を詳細に説明する。
本発明に係る軟質床暖房用マットは、長尺の軟質発泡樹脂成形体製を基体とする。基体の成形体を構成する樹脂は、板状の発泡成形体とする際に独立気泡を形成し、ポリエチレン、ポリプロピレン、ポリ酢酸ビニルなどの軟質汎用樹脂が挙げられる。中でも、高密度ポリエチレンの発泡成形体、ポリスチレンと高密度ポリエチレンとの混合物の板状の発泡成形体は、独立気泡であるので断熱性に優れ、加熱流体の熱を放散し難く、また、軽量であるにも拘らず柔軟性に優れているので、特に好ましい。発泡成形体の基体の厚さは、マットを敷設する建造物の種類、建造物の場所に応じて８〜３０mmの範囲で、発泡倍率は樹脂の種類にもよるが、２〜９０倍の範囲で選ぶことができる。
【０００９】
本発明に係る軟質床暖房用マットは、長尺で広幅の木製支持体の間に、長尺の軟質発泡樹脂成形体製の基体が配置されてなる。長尺で広幅、例えば、長さが１８２０mm、幅が約３５〜４５mmの木製支持体は、根太の機能を果すものであり、軟質床暖房用マットを配置した後に下地合板に釘打ちする際、軟質床暖房用マットの上に表層材または床材を敷設する際に、表層材または床材を支え、床材を釘で固定する際などに、釘打ちされる部分とされる。長尺で広幅の木製支持体は、根太が配置される間隔、例えば、３０３mmまたは４５５mm間隔とされる。広幅の木製支持体の高さは、マットの基体の厚さと同一であってよく、８〜３０mmの範囲で選ぶことができる。
【００１０】
本発明に係る軟質床暖房用マットは、上記長尺で広幅の木製支持体の間に長尺の軟質発泡樹脂成形体製の基体が配置されてなる。基体は、加熱流体用導通管を埋設し、加熱流体の熱を飛散させないように機能するものであり、その一方の面に長さ方向に沿ってほぼ平行に溝が刻設され、この溝に導通管が埋設される。溝の開口部の幅は、加熱流体用導通管の外径（例えば７．２mm）と同じ寸法かまたはこれより僅かに大きくするのが好ましい。溝の形状は、溝の長さ方向に直角に切断し断面がＵ字状を形成するようにすると、導通管を埋設する際に都合がよい。基体は上記木製支持体の間に配置されるので、その幅は隣接する根太の間隔３０３mmよりも小さく、例えば２５８mmとされる。
【００１１】
基体の溝に埋設された加熱流体用導通管の熱を、床板側に効果的に放熱させるためには、溝の壁面の全面に亘って金属薄板を貼着すると、金属薄板を全く貼着しないものよりも熱の放熱量が１５〜２０％以上も向上し、好ましいことが分った。特に、軟質床暖房用マットの上に、クッション性を改良した表層材を配置する場合には、表層材のクッション性を向上させる層（クッション材層）が伝熱を遮断するので、軟質床暖房用マットの放熱量を高める必要があるが、溝の壁面の全面に亘って金属薄板を貼着することによって、これが解決される。
【００１２】
溝の壁面に貼着された金属薄板は、導通管に通される加熱流体の熱を床板側に反射・放熱する機能を果たす。金属薄板の種類としてはアルミニウム箔、錫箔、ステンレススチール箔などが挙げられる。中でも製造の難易、コストなどの観点から、アルミニウム箔が特に好ましい。金属薄板の厚さ、余り薄いと強度が十分でなく溝に貼着するとき、または溝に導通管を埋設するときに破損し易く、厚すぎると製品の重量が重くなるばかりでなく、製品のコストが高くなり、いずれも好ましくない。金属薄板の厚さの好ましい範囲は、１０〜５００μｍである。
【００１３】
上記基体には、少なくとも一個の小幅の木製支持体が、基体の長さ方向に沿って配置されてなる。この小幅の木製支持体は、軟質床暖房用マットをロール状に巻回したときに、広幅の木製支持体の間に配置される基体が下方に位置しても押し潰され難くする。小幅の木製支持体の幅は、上記広幅の木製支持体の幅（約３５〜４５mm）の半分以下、中でも３分の１以下とするのが好ましい。小幅の木製支持体の配置数は、基体に埋設する加熱流体用導通管の数にもよるが、１個ないし３個の範囲で選ぶのが好ましい。１個の場合には基体のほぼ中央に、３個の場合には１個をほぼ中央に、残りの２個を中央の１個を挟んでほぼ対象の位置に配置するのが好ましい。
【００１４】
本発明に係る軟質床暖房用マットを製造するには、まず、上記長尺の広幅の木製支持体、長尺の基体、長尺の小幅の木製支持体を一組の単位体とし、各上面側端部を隙間を設けずに接触させて配置し、単位体を複数組組合せて全体として広幅とし、基体の溝に加熱流体用導通管を埋設する。ついで、この複数組の単位体で広幅とされた組合せ体の表面を、金属薄板によって一体に被着する。これによって、長尺で広幅の軟質床暖房用マットが得られる。
【００１５】
基体に埋設される加熱流体用導通管は、例えば、架橋ポリエチレン管、ポリブテン管などからなり、その直径は軟質床暖房用マットを設置する建造物の場所、マット基体の厚さ、加熱流体の種類、温度などによって変るが、通常は、外径が７．２mm、内径が５mmの管が一般的である。
【００１６】
組合せ体の表面に被着される金属薄板は、導通管に通される加熱流体の熱を床板に放熱する機能を果たす。金属薄板の種類は、溝の壁面に貼着され金属薄板と同種であってよい。中でも製造の難易、コストなどの観点から、アルミニウム箔が特に好ましい。金属薄板の厚さ、余り薄いと強度が十分でなくロール状に巻回するときに破損し易く、厚すぎると製品の重量が重くなるばかりでなく、製品のコストが高くなり、いずれも好ましくない。金属薄板の厚さの好ましい範囲は、１０〜５００μｍである。
【００１７】
本発明に係る軟質床暖房用マットは、以上説明した通りであり、金属薄板を外側にしてロール状に巻回することができる。広幅の木製支持体、小幅の木製支持体は収縮しないが、軟質発泡体成形品よりなる基体が、若干圧縮されて収縮するので、ロール状に巻回することができる。なお、基体の長さ方向に直角に切断した際の断面形状を逆台形型とし、長辺を上側に、短辺を下側に配置すると、軟質床暖房用マットをロール状に巻回する操作が容易になり、好ましい。
【００１８】
本発明に係る軟質床暖房用マットは、以上説明した通りであり、スラブの床の上、スラブの床に敷いた下地合板の上、または、一戸建て住宅の居室の床に敷いた下地合板の上などに敷設し、この床暖房用マットの上に表層剤または床材を配置した構造の暖房床として適用することができる。軟質床暖房用マットを下地合板の上に敷設する際には、広幅の木製支持体または小幅の木製支持体に釘を打付けることができ、また、この上にさらに表層剤または床材を配置する場合にも、広幅の木製支持体または小幅の木製支持体に釘を打付けることができる。金属薄板が薄いので、広幅の木製支持体、小幅の木製支持体、基体の位置を容易に確認することができ、釘を打付ける位置を誤ることはない。
【００１９】
【実施例】
以下、本発明に係る軟質床暖房用マットを、図面に基づいて詳細に説明するが、本発明はその趣旨を越えない限り、以下の記載例に限定されるものではない。
【００２０】
図１は、本発明に係る軟質床暖房用マットの一例の部分平面図であり、図２は図１のII−II部分における縦断面図であり、図３は他の軟質床暖房用マットの図２に対応する部分の縦断面図である。
【００２１】
軟質床暖房用マット１は、３２９０mm×２３８０mmのような長尺・広幅とされてなり、その長さ方向に沿って一定の間隔で幅４５mmの広幅の木製支持体２が配置され、広幅の木製支持体２の間に基体３（厚さ１２mm、幅２５８mm）が配置されている。基体３の一方の面には溝５（開口幅７．２mm、深さ７．２mm）が基体３の長さ方向に沿って刻設され、この溝５には加熱流体用導通管６（直径７．２mm）が埋設されている。加熱流体用導通管６は図１に示した様に、基体３の長さ方向の端近傍で逆方向にＵ字状にターンさせて配置されている。
【００２２】
基体３には、幅方向の中央の位置に長さ方向に沿って、幅９mmの小幅の木製支持体４が配置されている。小幅の木製支持体４の一端は基体３の端に達しているが、他端は基体３の端に達しない長さとされ、小幅の木製支持体４の先端と基体３の端との間に、加熱流体用導通管６をＵ字状にターンさせることができる隙間が設けられている。
【００２３】
軟質床暖房用マット１の断面図は図２に示した通りであり、広幅の木製支持体２、２の間に基体３が配置され、基体３には幅方向の中央の位置に小幅の木製支持体４が配置されており、広幅の木製支持体２、小幅の木製支持体４、基体３はそれぞれ同じ厚さとされている。図２では、広幅の木製支持体２、小幅の木製支持体４、基体３を一組の単位体とし、各上面側端部を隙間を設けずに接触させて配置し、一組の単位体の表面を金属薄板７によって被着した例を示す。
【００２４】
図３では、広幅の木製支持体３２の間に基体３３に配置し、基体３３の間に配置した木製支持体３４の数を３個とし、溝３６の壁面全面に亘って金属薄板９を貼着し、基体３３の下側（金属薄板を被着しない側）を切り欠いて断面を逆台形状とし、基体３３と広幅の木製支持体３２との間の下側に隙間８を形成した例を示す。図３では、隙間８は基体３３と広幅の木製支持体３２との間にのみ設けたが、基体３３と木製支持体３４との間にもうけることもできる。
【００２５】
本発明に係る軟質床暖房用マットは、以上説明した通りであり、図２または図３に示した一組の単位体を複数個組合せることにより、長尺・広幅のものとすることができる。また、軟質床暖房用マットは基体が軟質の発泡樹脂成形体より構成されており、ロール状に巻回するときに基体が圧縮されて収縮するので、巻回が容易である。また、軟質床暖房用マットは表面が金属薄板によって被着されているので、ロール状に巻回するときに金属薄板が破損することがなく、ロール状の巻回物の外面に凹凸がなく、梱包、保管、輸送などが容易である。
【００２６】
【発明の効果】
本発明は以上説明した通りであり、次の様な極めて有利な効果を奏し、その産業上の利用価値は極めて大である。
１．本発明に係る軟質床暖房用マットは、基体が軟質の発泡樹脂成形体より構成されており、ロール状に巻回するときに基体が圧縮されて収縮するので、巻回が容易である。
２．本発明に係る軟質床暖房用マットは、広幅の木製支持体の間に基体が配置され、基体には幅方向の中央の位置に小幅の木製支持体が配置されており、広幅の木製支持体、小幅の木製支持体、基体はそれぞれ同じ厚さとされているので、ロール状に巻回してもマットの下方に位置した部分が押し潰され難く、厚さの均質な床面が得られ、均一な放熱ができる。
３．本発明に係る軟質床暖房用マットは、金属薄板が薄いので、広幅の木製支持体、小幅の木製支持体、基体の位置を、金属薄板の上側から容易に確認することができ、釘を打付ける位置を誤ることはない。
【図面の簡単な説明】
【図１】  本発明に係る軟質床暖房用マットの一例の部分平面図である。
【図２】  図１のII−II部分における縦断面図である。
【図３】  他の軟質床暖房用マットの図２に対応する部分の縦断面図である。
【符号の説明】
１：軟質床暖房用マット
２、３２：広幅の木製支持体
３、３３：基体
４、３４：小幅の木製支持体
５、３５：溝
６：導通管
７、９：金属薄板
８：隙間
【図１】
0003652802.tif 000002
【図２】
0003652802.tif 000003
【図３】
0003652802.tif 000004